(57)【要約】      （修正有）【課題】トイレコンテナの給水系を簡素化し、多様な要求に応える脱着式トイレコンテナを提供する。【解決手段】給水系が、箱体２に設けられ、外部水源と接続可能な１個の第１弁７と、第１弁７に接続され箱体２の後板２４の壁内に縦方向に設けた集中配管と、集中配管から分岐し、天板２２の下部空間に横方向に延び出す複数個の１０本の分岐管と、これらのうち８本の分岐管それぞれ接続する給水タンクと、各給水タンクにそれぞれ設けられた第２弁と、を備え、各給水タンクから各便器又は手洗器にそれぞれ接続し、それぞれ独立して給水を行う。【選択図】図３
0003203572.tif 000002
【実用新案登録請求の範囲】
【請求項１】
前板、側板、天板、底板、及び後板を備え、前記側板に扉を設けた箱体と、
該箱体の底板に形成された前脚と、
前記箱体の底板に形成されたローラと、
コンテナ脱着装置付き車両に搭載する場合に案内するガイドと、
前記箱体を前記コンテナ脱着装置付き車両に固縛する固縛装置と、
前記箱体の前板に固定される掛合部材と、
前記箱体の内部に設けた複数の便器と、
該便器に水を供給する給水系と、
前記便器からの排水を貯留する排水タンクと、
を備え、
コンテナ脱着装置付車両に搭載されるときには、前記コンテナ脱着装置付き車両のフックで前記掛合部材を引っ掛けて前記車両の前方に移動させて搭載し、
コンテナ脱着装置付車両から降ろすときには、前記コンテナ脱着装置付き車両のフックで前記掛合部材を引っ掛けて前記車両の後方に移動させ、積み降ろすことを特徴とし、
前記箱体の内部が複数の室に分割され、複数の室の全部又は一部のそれぞれに便器が設置され、
前記給水系が、
前記箱体に設けられ、外部水源と接続可能な１個の第１弁と、
該第１弁に接続され前記箱体の後板の壁内に縦方向に設けた集中配管と、
該集中配管から分岐し、天板の下部空間に横方向に延び出す複数個の分岐管と、
各分岐管とそれぞれ接続する給水タンクと、
各給水タンクにそれぞれ設けられた第２弁と、
を備え、
各給水タンクから各便器にそれぞれ接続し、それぞれ独立して給水を行うよう構成することにより、給水系を集中配管システムとする脱着式トイレコンテナ。
【請求項２】
前記集中配管が前記掛合部材を避けた位置に設けられ、前記後板の壁内を垂直に延長し、前記箱体の軸方向に２系統に分岐して延長設置された請求項１の脱着式トイレコンテナ。
【請求項３】
前記排水タンクに下水取出口を設けるとともに、前記排水タンクに洗浄水を供給することができる開口部を設け、排水タンク内を洗浄可能とする請求項１の脱着式トイレコンテナ。
【請求項４】
前記排水タンクの両側に引き出し式で前記箱体内の下部に収容可能な階段が前記室に対応して設置された請求項１の脱着式トイレコンテナ。
【考案の詳細な説明】
【技術分野】
【０００１】
本考案は、コンテナ脱着装置付車両を利用して移動可能な脱着式トイレコンテナに関する。
【背景技術】
【０００２】
特許文献１（国際公開公報ＷＯ２０１２／０７７３５２号公報、ＰＣＴ／ＪＰ２０１１／００６８８６）に記載の発明は、扉を設けた箱体と、該箱体の底板に形成された前脚と、箱体の底板に形成されたローラと、コンテナ脱着装置付き車両に搭載する場合に案内するガイドと、箱体をコンテナ脱着装置付き車両に固縛する固縛装置と、箱体の前板に固定される掛合部材と、箱体の内部に設けた便器と、該便器に水を供給する給水タンクと、便器からの排水を貯留する排水タンクと、を備え、コンテナ脱着装置付車両（以下、車両という。）に搭載されるときには、車両のフックで掛合部材を引っ掛けて車両の前方に移動させて搭載し、車両から降ろすときには、車両のフックで掛合部材を引っ掛けて車両の後方に移動させ、積み降ろすことを特徴とする脱着式トイレハウスである。
【先行技術文献】
【特許文献】
【０００３】
【特許文献１】国際公開公報ＷＯ２０１２／０７７３５２号公報
【考案の概要】
【考案が解決しようとする課題】
【０００４】
しかしながら、特許文献１の発明のトイレハウスは、車両への積み降ろしの利便性の向上が図られておらず、また、便器洗浄用給水タンクへの給水についての配慮が不十分であるなどの問題がある。
【０００５】
そこで本考案は、低コスト、簡素な構造で車両への積み降ろしの利便性の向上を図りつつ、使用性、メンテナンス性を向上させ、給水系を簡素化し、給水の多様な要求に応える脱着式トイレコンテナを提供することを課題とする。
【課題を解決するための手段】
【０００６】
上記課題に鑑み、請求項１の考案は、前板、側板、天板、底板、及び後板を備え、前記側板に扉を設けた箱体と、該箱体の底板に形成された前脚と、前記箱体の底板に形成されたローラと、コンテナ脱着装置付き車両に搭載する場合に案内するガイドと、前記箱体を前記コンテナ脱着装置付き車両に固縛する固縛装置と、前記箱体の前板に固定される掛合部材と、前記箱体の内部に設けた複数の便器と、該便器に水を供給する給水系と、前記便器からの排水を貯留する排水タンクと、を備え、コンテナ脱着装置付き車両に搭載されるときには、コンテナ脱着装置付き車両のフックで前記掛合部材を引っ掛けて前記車両の前方に移動させて搭載し、コンテナ脱着装置付き車両から降ろすときには、前記コンテナ脱着装置付き車両のフックで前記掛合部材を引っ掛けて前記車両の後方に移動させ、積み降ろすことを特徴とし、前記箱体の内部が複数の室に分割され、複数の室の全部又は一部のそれぞれに便器が設置され、前記給水系が、前記箱体に設けられ、外部水源と接続可能な１個の第１弁と、該第１弁に接続され前記箱体の後板の壁内に縦方向に設けた集中配管と、該集中配管から分岐し、天板の下部空間に横方向に延び出す複数個の分岐管と、各分岐管とそれぞれ接続する給水タンクと、各給水タンクに設けられた第２弁と、を備え、各給水タンクから各便器にそれぞれ接続し、それぞれ独立して給水を行うよう構成することにより、給水系を集中配管システムとする脱着式トイレコンテナである。
【０００７】
前記排水タンクは、これを箱体に一体化した一体型排水タンクを床下に設け、該一体型排水タンクが便器と配管で接続され、該一体型排水タンクにキャップ付き開口部を設け下水を排出できるものとしてもよい。
【０００８】
前記キャップ付き開口部を前記一体型排水タンクの前後方向（長手方向）および／または中間部に設けることにより、マンホール、下水槽或いは衛生車に下水の排水（バキューム）を行うとき、排水タンク内の洗浄ができる構造とすることが好ましい。例えば、前記排水タンクに床から洗浄水を供給することができる開口部を設け、排水タンク内を洗浄可能とすることが好ましい。
【０００９】
前記一体型排水タンクには下水取出口を下向き、横向き、または上向きに設け、この下水取出口にゲートバルブやジャバラホース等での配管を接続し、マンホール等へ自然落下させることとしてもよい。
【００１０】
前記便器を収容したトイレ個室を設け、その床下に収納階段を設けた脱着式トイレコンテナであることが好ましい。前記箱体に取り外し式階段を取り付け可能なことが好ましい。
【００１１】
箱体の内部が複数の室に分割される態様としては、平面視で中央で縦方向（コンテナの直進方向）で仕切り、横方向に複数個に仕切る構造、又は、横方向に複数個に仕切る構造等が挙げられる。
【００１２】
複数の室の全部又は一部のそれぞれに便器が設置される態様は、それぞれの室に全部、便器を配置してもよいし、一部の室だけに便器を備えても良い。また、各室に大便器、または小便器をそれぞれ個別に備えても良いし、１つの室に大便器、小便器の両方備えても良い。便器に代えて手洗器を設けてもよいし、室に便器と手洗器を併設してもよい。
【００１３】
給水系の第１弁は、手動でも自動でもよい。自動の場合、箱体に備えたスイッチにより開閉することができる。手動の場合には操作部を備えている。例えば水源となる蛇口にホースを介して第１弁に接続し、水源より水道水又は非水道水を供給することができる。
【００１４】
集中配管は１本が好ましく、これにより給水系を小型化できる。集中配管は後板の壁内に縦方向に配置し、延伸方向が９０度に曲げられて、横方向に配置されることが好ましい。
【００１５】
複数の分岐管は、直管、エルボ、水栓チーズから構成されることが好ましい。
【００１６】
給水タンクは箱形であり、貯水するための構造を備えた一般的なものである。
【００１７】
各給水タンクから各便器にそれぞれ接続し、第２弁により、それぞれ独立して給水を行うことで給水系の設計が容易になる。
【００１８】
本考案の脱着式トイレコンテナは２ｔ〜１０ｔのアーム車まで全てに対応させることが好ましい。また、前記箱体内部には用途に応じて複数種類のトイレを設置することが好ましい。トイレ数や配置等に応じて給水タンクの容量及び数量が設定されることが好ましい。
【考案の効果】
【００１９】
本考案の脱着式トイレコンテナは、重量軽減、車両への積み降ろし効率の向上、緊急設備としての機動性、利便性向上を図り、給水系を簡素化し、多様な要求に応えることができる。
【図面の簡単な説明】
【００２０】
【図１】本考案実施形態の脱着式トイレコンテナ１がコンテナ脱着装置付車両１１０に脱着される様子を示す説明図である。
【図２】本考案実施形態の脱着式トイレコンテナ１の底面である。
【図３】同実施形態の脱着式トイレコンテナ１の右側面図である。
【図４】同実施形態の脱着式トイレコンテナ１の平面図である。
【図５】同実施形態の脱着式トイレコンテナ１の収容階段を引き出した状態の正面断面図である。
【図６】図３のＡ−Ａ断面図である。
【図７】図３のＢ−Ｂ断面図である。
【図８】図４のＣ−Ｃ断面図である。
【図９】図３のＤ−Ｄ断面図である。
【図１０】図３のＥ−Ｅ断面図である。
【図１１】給水タンクの配置を示す側面図である。
【図１２】給水タンクの配置を示す平面図である。
【図１３】給水系４の配置を示す背面図である。
【図１４】図１１のＦ−Ｆ断面図である。
【図１５】図１１のＧ−Ｇ断面図である。
【図１６】図１１のＨ−Ｈ断面図である。
【図１７】図１１のＩ−Ｉ断面図である。
【図１８】（ａ）は集中配管の平面図、（ｂ）は集中配管の背面図、（ｃ）は側面図である。
【図１９】（ａ）は図１８（ｂ）のＪ−Ｊ断面図、（ｂ）は図１８（ｂ）のＫ−Ｋ断面図である。
【図２０】給水系４の分解平面図である。
【考案を実施するための形態】
【００２１】
以下に、本考案の好適な一実施形態である脱着式トイレコンテナ１（以下、トイレコンテナという。）について図面を参照して説明する。
【００２２】
図１〜図２０に示す通り、トイレコンテナ１は、前板２０、一対の側板２１、天板２２、底板２３、及び後板２４を備え、側板２１に扉２５を設けた箱体２と、箱体２の底板２３に形成された前脚２６ａと、箱体２の底板２３に形成され後脚として機能するローラ２６ｂと、コンテナ脱着装置付き車両１１０（以下、車両１１０という）に搭載する場合に案内するガイドレール２７と、箱体２を車両１１０に固縛する固縛装置２８と、箱体２の前板２０に固定される掛合部材２９と、箱体２の内部に設けた複数の便器３ａ〜３ｆと、便器３ａ〜３ｆに水を供給する給水系４と、便器３ａ〜３ｆからの排水を貯留する排水タンク５と、を備えている。コンテナ脱着装置付車両１１０（以下、車両１１０という。）に搭載されるときには、車両１１０のフック１１１で掛合部材２９を引っ掛けて車両１１０の前方に移動させて搭載し、車両１１０から降ろすときには、車両１１０のフック１１１で掛合部材２９を引っ掛けて車両１１０の後方に移動させ、積み降ろすことを特徴とする。また、トイレコンテナ１の箱体２の内部が複数の室１０２ａ〜１０２ｈに分割され、該室１０２ａ〜１０３ｈのそれぞれに便器３ａ〜３ｆ又は手洗器６ａ，６ｂが設置され、給水系４が、箱体２に設けられ、外部水源と接続可能な１個の第１弁７と、第１弁７に接続され箱体２の後板２４の壁内に縦方向に設けた集中配管８と、集中配管８から分岐し、天板２２の下部空間に横方向に延び出す複数個の１０本の分岐管９ａ〜９ｊと、これらのうち８本の分岐管９ｃ〜９ｊとそれぞれ接続する給水タンク１０ａ〜１０ｈと、各給水タンク１０ａ〜１０ｈにそれぞれ設けられた第２弁１１ａ〜１１ｈと、を備え、各給水タンク１０ａ〜１０ｈから各便器３ａ〜３ｆ又は手洗器６ａ，６ｂにそれぞれ接続し、それぞれ独立して給水を行うよう構成することにより、給水系４を集中配管システムとする。
【００２３】
箱体２は種々の金属板から構成される壁体である。扉２５は片開き、両開き、いずれでもよい。
【００２４】
前脚２６ａと、ローラ２６ｂとが、折畳構造を備え、フック（図示略）で箱体２に掛け止めすることができる。前脚２６ａと、ローラ付後脚２６ｂとは、折畳構造を備えていなくてもよい。
【００２５】
掛合部材２９（リフトバー）の両側にはリブ２９ａ，２９ｂを設けてある。
【００２６】
図１、２に示す通り、便器３ａ〜３ｆは大便器３ａ〜３ｄ又は小便器３ｅ，３ｆである。各便器３ａ〜３ｆ又は手洗器６ａ，６ｂの上部空間に給水タンク１０ａ〜１０ｈが配置されている。給水タンク１０ａ〜１０ｈの上部で、天板２２の下部に配管スペースが形成される。
【００２７】
便器３ａ〜３ｆは電源と電気的に接続し、便器３ａ〜３ｆへ電気を供給するようにしてもよい。
【００２８】
給水系４は、箱体２の中央から片側に偏奇した位置の上部を貫通して設けられ、各室１０２ａ〜１０２ｈの便器３ａ〜３ｆ又は手洗器６ａ，６ｂにそれぞれ独立して給水を行うものである。給水系４は、掛合部材２９を避けた位置に取り付けられている。
【００２９】
排水タンク５は、これを箱体２に一体に床１３と底板２３の間に設け、一体型の排水タンク５が便器３ａ〜３ｆと配管で接続され、排水タンク５及び底板２３に、開閉扉付き、キャップ付き開口を有する下水取出口５１を設け下水を排出できる構造である。
【００３０】
開閉扉付き、キャップ付き開口を有する開口部２３ａ，２３ｂを排水タンク５及び床板２３の前後方向（長手方向）および中間部に設けることにより、マンホール、下水槽或いは衛生車に下水の排水（バキューム）を行うとき洗浄水を供給することができ、排水タンク５内の洗浄ができる構造とする。床蓋で開口部２３ａ，２３ｂを脱着式又は開閉式に被覆できる構造である。
【００３１】
排水タンク５には下水取出口５１を下向きに設け、この下水取出口５１にゲートバルブやジャバラホース等での配管を接続し、マンホール等へ自然落下させる構造とする。
【００３２】
手洗器６ａ，６ｂは弁を備え、室１０２ｂ，１０２ｆに対応する扉２５は設けていない。
【００３３】
第１弁７は後板２４の下部領域で掛合部材２９を避けた位置の外部に取り付けられている。第１弁７は、ここではボールバルブであるが、限定されるわけではない。
【００３４】
集中配管８は１本が好ましいが、集中配管８を２本に分割する構造でもよい。
【００３５】
分岐管９ａは直管を含み、エルボ９ｋと水栓チーズ９ｍ〜９ｏと接続されることにより構成される。分岐管９ｂは直管であり、エルボ９ｌと水栓チーズ９ｐ〜９ｒと接続される構造である。
【００３６】
分岐管９ｃ〜９ｆは直管を含み、分岐管９ａから所定間隔で垂下する構造である。同様に分岐管９ｇ〜９ｊは直管を含み、分岐管９ｂから所定間隔で垂下する構造である。
【００３７】
給水タンク１０ａ〜１０ｈは各々の室１０２ａ〜１０２ｈの中心部より上部で分岐管９ａ，９ｂより下部に配置され、仕切壁１４に固定されている。給水タンク１０ａ〜１０ｈ内は補強材１０ｍで補強されている。
【００３８】
第２弁１１ａ〜１１ｈはボールバルブが好ましいが限定されるわけではなく、給水タンク１０ａ〜１０ｈの上部に配置され、その位置は適宜でよく、給水タンク１０ａ〜１０ｈの下部から上部までの領域で所望の位置に設置が可能である。
【００３９】
箱体２内の室１０２ａ〜１０２ｈの壁面の上部には、それぞれ、人感センサ付きの照明具１２ａ〜１２ｈが設けてある。
【００４０】
底板２３の上面には、間隔を開けて床１３が形成され、床１３の上面に便器３ａ〜３ｆが配置されている。この床１３と底板２３の空間に下水を貯留する排水タンク５が配置されており、配管によって便器３ａ〜３ｆ、手洗器６ａ，６ｂからの下水が排水タンク５に貯留される構造である。
【００４１】
各便器３ａ〜３ｆの間には、平面視で縦方向（トイレコンテナ１の直進方向）に、１枚の仕切壁１４が、また、横方向（仕切壁１４と直交する方向）に、それぞれ、仕切壁１５が複数枚例えば３枚、間隔を開けて配置された構造である。
【００４２】
箱体２の前板２０及び後板２４に、それぞれ、複数の窓１６ａ〜１６ｄが設けられている。
【００４３】
箱体２の下部に引き出し式収容構造の階段１７を取り付けてある。階段１７の外側に扉を設けることで、階段１７の飛び出しを防ぎ、また、手前に引くだけで階段１７を設置できる。便器３ａ〜３ｆの近傍にトイレットペーパー用の収容器具１８を設けている。扉がばねで元の位置まで戻るように弾性力が働くようになっている。
【００４４】
車両１１０にトイレコンテナ１が積載され移動するときには、図１に示す通り、前脚２６ａが畳まれた状態で、掛合部材２９にフック１１１が掛けられて、アーム１１２によって、トイレコンテナ１を長手方向に移動させて装着させる。基本的にはバキュームホース等の吸引装置で糞尿を含む下水を吸引後、トイレコンテナ１を空にして積み降ろしすることが好ましい。下水を空にしない場合は、箱体２に給水タンク１０ａ〜１０ｈ、排水タンク５を装着しているため、箱体２の積おろし傾斜角度を緩やかにすることとしてもよい。その場合、ローラ付後脚２６ｂを長くする必要から、これを折畳み式構造としたことで、積み降ろし作業は円滑に簡単に行うことができる。前脚２６ａに加えてローラ付後脚２６ｂも畳んで運搬してもよい。
【００４５】
一方、車両１１０から降ろされて地面に設置されるときには、ローラ付後脚２６ｂを畳まれた状態から展開させて立設し、アーム１１２によってトイレコンテナ１を長手方向に移動させて、前脚２６ａを展開し、車両１１０から離脱させる。離脱作業は円滑に簡単に行うことができる。引き出し式の階段１７を箱体２から引き出すことで階段を設置可能である。
【００４６】
実施形態の動作を説明する。第１弁７にホースを接続し開弁すると、上水が第１弁７から集中配管８に流れ、分岐管９ａと９ｂに２つの上水の流れに分割される。分岐管９ａから分岐管９ｃ〜９ｆを経て、開弁された第２弁１１ａ〜１１ｄを経て、給水タンク１０ａ〜１０ｄに上水が流れて貯留される。分岐管９ｂから分岐管９ｇ〜９ｊを経て、開弁された第２弁１１ｅ〜１１ｈを経て、給水タンク１０ｅ〜１０ｈに上水が流れて貯留される。各給水タンク１０ａ〜１０ｈから対応する便器３ａ〜３ｆ、手洗器６ａ，６ｂにそれぞれ上水が供給される。便器３ａ〜３ｆ、手洗器６ａ，６ｂからの下水は排水タンク５に貯留され、排出部（図示略）から外部に排出される。例えば、マンホール上にトイレコンテナ１を置いて下水を排出するなど、適宜の方式で下水の排出が可能である。
【００４７】
本考案の実施形態によるトイレコンテナ１の効果を説明する。集中配管８により１本の配管で集中して上水を供給することができ、給水作業が簡素化できる。また、第２弁１１ａ〜１１ｈを独立して各給水タンク１０ａ〜１０ｈに設けることでトイレの使用状況に対応して柔軟に給水が可能となる。また集中配管８を後板２４の壁内に縦方向に収容することで、設置スペースを削減でき、コンテナ1の設計が容易になる。分岐管９ａ〜９ｊを天板２２の下面に設け、下方に向かって給水タンク１０ａ〜１０ｈに給水することで、効率的な給水が実現し、便器等の設備の設置スペースが拡大する。
【００４８】
汚水タンク５の両側に収納階段１７を設けることにより、各室の入口に引き出し式の階段を設置することができ、コンテナ移動時には、コンテナ内に収納することができる。室の出入りに階段を使用することができるため、室の床面を高く設定することが可能となり、床下に設ける排水タンク５の容量を大きくすることができる。
【００４９】
なお、本考案の実施の形態は、上記実施形態に何ら限定されるものではなく、本考案の技術的思想を逸脱しない範囲において、当該技術的範囲に属する限り種々の改変等の形態を採り得る。
【符号の説明】
【００５０】
１・・・脱着式トイレコンテナ
２・・・箱体
２０・・・前板
２１・・・側板
２２・・・天板
２３・・・底板
２３ａ，２３ｂ・・・開口部
２４・・・後板
２５・・・扉
２６ａ・・・前脚
２６ｂ・・・ローラ
２７・・・ガイドレール
２８・・・固縛装置
２９・・・掛合部材
２９ａ，２９ｂ・・・リブ
１０２ａ〜１０２ｈ・・・室
３ａ〜３ｆ・・・便器
３ａ〜３ｄ・・・大便器
３ｅ，３ｆ・・・小便器
４・・・給水系
５・・・排水タンク
５１・・・下水取出口
６ａ，６ｂ・・・手洗器
７・・・第１弁
８・・・集中配管
９ａ〜９ｊ・・・分岐管
９ｋ，９ｌ・・・エルボ
９ｍ〜９ｒ水栓チーズ
１０ａ〜１０ｈ・・・給水タンク
１０ｍ・・・補強材
１１ａ〜１１ｈ・・・第２弁
１２ａ〜１２ｈ・・・照明具
１３・・・床
１４，１５・・・仕切壁
１６ａ〜１６ｄ・・・窓
１７・・・階段
１８・・・収容器具
１１０・・・コンテナ脱着装置付き車両
１１１・・・フック
１１２・・・アーム
【図１】
0003203572.tif 000003
【図２】
0003203572.tif 000004
【図３】
0003203572.tif 000005
【図４】
0003203572.tif 000006
【図５】
0003203572.tif 000007
【図６】
0003203572.tif 000008
【図７】
0003203572.tif 000009
【図８】
0003203572.tif 000010
【図９】
0003203572.tif 000011
【図１０】
0003203572.tif 000012
【図１１】
0003203572.tif 000013
【図１２】
0003203572.tif 000014
【図１３】
0003203572.tif 000015
【図１４】
0003203572.tif 000016
【図１５】
0003203572.tif 000017
【図１６】
0003203572.tif 000018
【図１７】
0003203572.tif 000019
【図１８】
0003203572.tif 000020
【図１９】
0003203572.tif 000021
【図２０】
0003203572.tif 000022